(57)【特許請求の範囲】
【請求項１】
下面にフック部を有する前部シートと、後部シートとを座受けフレーム上に前後配置に、かつ、少なくとも後部シートの回りを係合受部を有する座受けフレームの後部側で包囲するように設けるとともに、
前記座受けフレームに一端を回動可能に取り付け、他端を前記前部シートの下面側に回動可能に取り付けた支持アームを備えたリンク機構部と、
前記前部シートの下面側に添う位置と前部シートの下面側に対し略９０度展開した位置とに亘って開閉可能な開閉アームと、この開閉アームに連結したネットとからなる区画部材と、を備え、
前記開閉アームが、突出端に先端フック部を有しており、
前記前部シートの後端側を前記リンク機構部の支持アームの回動を利用して前記後部シート上に載置したときに、前記前部シートのフック部が座受けフレームの係合受部に係合して、前記前部シートが前記後部シート上で固定可能となり、
前記前部シートを前記支持アームの他端を支点として前倒し、前記区画部材の開閉アームを前部シートの下面側に対し略９０度展開したときに、前記突出端の先端フック部が座受けフレームの係合受部に係合して、前記座受けフレーム上に収容スペースを形成するようにしたことを特徴とする車載用シート。
【請求項２】
前記係合受部は、前記座受けフレームの後部の一部に抜穴を形成するとともに、該抜穴内に逆Ｕ状のストライカを配置した構成となっていることを特徴とする、請求項１に記載の車載用シート。
【発明の詳細な説明】
【０００１】
【発明の属する技術分野】
本発明は、車載用シートの改良に関するものである。
【０００２】
【従来の技術】
従来、図１５に示すシートクッション５１とシートバック５２とからなる車載用シートにおいて、図１６に示すように、シートクッション５１を略９０度前倒して起立状態とするとともに、シートバック５２もシートクッション５１の後ろ側に前倒して、シートクッション５１上にシートバック５２により区画される収納スペースを形成するようにした車載用シートが知られている。
また、シートクッションを前部シートと後部シートとの２分割構成とし、複雑な機構を用いて前部シートの後部が後部シート上に重なるように構成した大人用及び子供用の双方に使用可能な車載用シートも知られている（実開昭６２−１９１５４５号公報）。
【０００３】
【発明が解決しようとする課題】
しかしながら、上述した従来の車載用シートの場合、単にシートクッション５１及びシートバック５２を各々前倒して収納スペースを形成する構造であるため、収納スペースの区画、特に車両の幅方向の区画を明確に行うことが困難であった。
【０００４】
また、上述の実開昭６２−１９１５４５号公報に開示された車載用シートの場合、複雑な機構を用いて前部シートの後部が後部シート上に重なるように構成しているため、低価格に構成できないという課題があった。
【０００５】
本発明は、上記事情に鑑みてなされたものであり、簡略かつ低価格な構成で大人用、子供用双方に使用できるとともに、簡単に収納スペースも形成でき、シートの有効活用を図ることができる車載用シートを提供することを目的とする。
【０００６】
【課題を解決するための手段】
請求項１記載の発明に係る車載用シートは、下面にフック部を有する前部シートと、後部シートとを座受けフレーム上に前後配置に、かつ、少なくとも後部シートの回りを係合受部を有する座受けフレームの後部側で包囲するように設けるとともに、座受けフレームに一端を回動可能に取り付け、他端を前部シートの下面側に回動可能に取り付けた支持アームを備えたリンク機構部と、前部シートの下面側に添う位置と前部シートの下面側に対し略９０度展開した位置とに亘って開閉可能な開閉アームと、この開閉アームに連結したネットとからなる区画部材とを備え、前記開閉アームが、突出端に先端フック部を有しており、前部シートの後端側をリンク機構部の支持アームの回動を利用して後部シート上に載置したときに、前記前部シートのフック部が座受けフレームの係合受部に係合して、前記前部シートが前記後部シート上で固定可能となり、前部シートを前記支持アームの他端を支点として前倒し、前記区画部材を前部シートの下面側に対し略９０度展開したときに、前記突出端の先端フック部が座受けフレームの係合受部に係合して、座受けフレーム上に収容スペースを形成するようにしたことを特徴とするものである。
【０００７】
前記係合受部は、前記座受けフレームの後部の一部に抜穴を形成するとともに、該抜穴内に逆Ｕ状のストライカを配置した構成となっている。
【０００８】
本発明によれば、前部シートの後端側をリンク機構部の支持アームの回動を利用して後部シート上に載置可能とするとともに、前部シートを支持アームの他端を支点として前倒し、区画部材を前部シート２の下面側に対し略９０度展開して座受けフレーム上に収容スペースを形成することができ、簡略かつ低価格な構成で、かつ、この車載用シートを大人用、子供用双方に使用できるとともに、簡単な操作で収容スペースも形成でき、この車載用シートの有効活用を図ることができる。
【０００９】
また、本発明によれば、前部シートの後端側をリンク機構部の支持アームの回動を利用して後部シート上に載置し、前部シートの下面のフック部を座受けフレームの係合受部に係合して固定することで、常時は大人用として利用するものを子供用の安全なシートに転用できる。
【００１０】
また、前部シートを支持アームの他端を支点として前倒し、前記区画部材の開閉アームを前部シートの下面側に対し略９０度展開し、前記突出端の先端フック部を座受けフレームの係合受部に係合することで、前記座受けフレーム上に開閉アーム及びネットからなる区画部材で車両の幅方向が明確に区画された収容スペースを形成でき、この車載用シートの有効活用を図ることができる。
【００１１】
【発明の実施の形態】
以下に、本発明の実施の形態を詳細に説明する。
【００１２】
（実施の形態１）
図１は、本発明の実施の形態１の車載用シートの斜視図、図２は本発明の実施の形態１の車載用シートの概略側面図、図３は本発明の実施の形態１の車載用シートの前部シート２を前倒した状態の断面図、図４は本発明の実施の形態１の車載用シートの前部シート２を前倒した状態の斜視図、図５は本発明の実施の形態１の開閉アーム１１を展開した状態の斜視図、図６は本発明の実施の形態１の開閉アーム１１を展開した状態の拡大斜視図、図７は本発明の実施の形態１の収容スペースを示す説明図、図８は本発明の実施の形態１の先端フック部１２を係合受部５に係合した状態の断面図、図９は本発明の実施の形態１の先端フック部１２を係合受部５に係合した状態の斜視図である。
【００１３】
本実施の形態１の車載用シートは、座受けフレーム１上に、下面にフック部４を有する前部シート２及び後部シート３を前後配置に、かつ、少なくとも後部シート３の回りを、前記座受けフレーム１における係合受部５を有する後部１ａで包囲するように設けるとともに、前記座受けフレーム１の上面に２箇所に亘って設けた一対の受け金具６及びピン７を介して一端側の一対の端部を回動可能に取り付け、他端側を前記前部シート２の下面側に中央部が半円状の一対の金具８を介して回動可能に取り付けた全体としてＵ字状の形状を有する支持アーム９を備えたリンク機構部１０と、前記前部シート２の下面側に設けたこの前部シート２の下面側に添う位置と前部シート２の下面側に対し略９０度展開した位置とに亘って開閉可能な突出端に先端フック部１２を有する開閉アーム１１及びこの開閉アーム１１に連結したネット１３からなる区画部材１４とを備えている。
【００１４】
前記ネット１３は、全体として三角形状に形成され、その上部の傾斜縁が前記開閉アーム１１に連結され、図４において左側側縁が前部シート２の下面側に固設した直線状支持片１５に連結されている。また、開閉アーム１１の基端部は、前部シート２の下面に取り付けた略９０度の範囲で回動可能な自在継手１６により支持されて、前部シート２の下面側に添う位置と前部シート２の下面側に対し略９０度展開した位置とに亘って開閉可能となっている。
【００１５】
前記座受けフレーム１の係合受部５は、図８に示すように、座受けフレーム１の後部１ａの一部に抜穴１７を形成するとともに、この抜穴１７内に逆Ｕ状のストライカ１８を配置した構成となっている。
【００１６】
本実施の形態１の車載用シートによれば、前部シート２を前記支持アーム９の他端側を支点として、図３に示すように前倒し、前記区画部材１４の開閉アーム１１を前部シート２の下面側に対し略９０度展開し、前記突出端の先端フック部１２を図８、図９に示すように座受けフレーム１の係合受部４におけるストライカ１８に係合して、前記座受けフレーム１上に図５、図７に示すように区画部材１４の前部シート２の下面とネット１３とで車両の前後方向及び幅方向が各々区画された収容スペース２０を形成し、この車載用シートの有効活用を図ることができる。
【００１７】
（実施の形態２）
次に、図１０乃至図１４を参照して本発明の実施の形態２について説明する。図１０は本発明の実施の形態２の車載用シートの図２と同様な断面図、図１１は本発明の実施の形態２の車載用シートの前部シート２を後部シート３に載せた場合の断面図、図１２は発明の実施の形態２の車載用シートの前部シート２を後部シート３に載せた状態における車載用シート及び支持アーム９を示す斜視図、図１３は前部シート２の下面に中央部が半円状の金具８をネジ２１を用いて取り付けた状態を示す断面図、図１４は支持アーム９と受け金具６とのピン７を用いた連結状態を示す部分拡大図である。
【００１８】
本発明の実施の形態２においては、図１０に示す通常の状態から、前部シート２の後端側をリンク機構部１０の支持アーム９の受け金具６側を支点とした回動を利用して図１１に示すように後部シート３上に載置し、下面のフック部４を座受けフレーム１の係合受部５におけるストライカ１８に係合して、この前部シート２の後端側を後部シート３上において固定可能とし、これにより、常時は大人用として利用する前部シート２、後部シート３を、前部シート２の上に子供が腰掛けてその足を前記座受けフレーム１上に載せることができる子供用の安全なシートに転用するものである。
【００１９】
【発明の効果】
本発明によれば、簡略かつ低価格な構成でありながらこの車載用シートを大人用、子供用双方に使用できるとともに、簡単な操作で収納スペースも形成でき、この車載用シートの有効活用を図ることができる車載用シートを提供できる。
【００２０】
また、本発明によれば、座受けフレーム上に開閉アーム及びネットからなる区画部材で車両の幅方向が明確に区画された収容スペースを形成でき、この車載用シートの有効活用を図ることができる。
【図面の簡単な説明】
【図１】本発明の実施の形態の車載用シートの斜視図である。
【図２】本発明の実施の形態１の車載用シートの概略側面図である。
【図３】本発明の実施の形態１の車載用シートの前部シートを前倒した状態の断面図である。
【図４】本発明の実施の形態１の車載用シートの前部シートを前倒した状態の斜視図である。
【図５】本発明の実施の形態１の開閉アームを展開した状態の斜視図である。
【図６】本発明の実施の形態１の開閉アームを展開した状態の拡大斜視図である。
【図７】本発明の実施の形態１の収容スペースを示す説明図である。
【図８】上記実施の形態１のフック部を係合受部に係合した状態の断面図である。
【図９】上記実施の形態１のフック部を係合受部に係合した状態の斜視図である。
【図１０】本発明の実施の形態２の車載用シートの図２と同様な側面図である。
【図１１】本発明の実施の形態２の車載用シートの前部シートを後部シートに載せた場合の側面図である。
【図１２】本発明の実施の形態２の車載用シートの前部シートを後部シートに載せた状態における車載用シート及び支持アームを示す斜視図である。
【図１３】前部シートの下面に中央部が半円状の金具をネジを用いて取り付けた状態を示す断面図である。
【図１４】支持アームと受け金具との連結状態を示す部分拡大図である。
【図１５】従来の車載用シートを示す概略側面図である。
【図１６】従来の車載用シートによる収容スペースを形成する状態を示す概略側面図である。
【符号の説明】
１      座受けフレーム
２      前部シート
３      後部シート
４      フック部
５      係合受部
６      受け金具
７      ピン
８      金具
９      支持アーム
１０    リンク機構部
１１    開閉アーム
１２    先端フック部
１３    ネット
１４    区画部材
１８    ストライカ
２０    収容スペース
【図１】
0003544064.tif 000002
【図２】
0003544064.tif 000003
【図３】
0003544064.tif 000004
【図４】
0003544064.tif 000005
【図５】
0003544064.tif 000006
【図６】
0003544064.tif 000007
【図７】
0003544064.tif 000008
【図８】
0003544064.tif 000009
【図９】
0003544064.tif 000010
【図１０】
0003544064.tif 000011
【図１１】
0003544064.tif 000012
【図１２】
0003544064.tif 000013
【図１３】
0003544064.tif 000014
【図１４】
0003544064.tif 000015
【図１５】
0003544064.tif 000016
【図１６】
0003544064.tif 000017